(57)【要約】【課題】  除草作業の作業効率を向上させることができる除草用回転刃を提供する。【解決手段】  回転軸線Ｌを中心とする径方向に延在する基部１０と、基部１０に連なり、下面２１が回転軸線Ｌと直交する平面に延在するように形成された複数の刃部２０と、刃部２０の下面において回転軸線Ｌを中心とする円周方向と交差する方向に延在するように形成され、下方に突出する断面形状を有し、回転軸線Ｌと直交する方向に並ぶ複数の削り刃３０と、を備える。【選択図】      図１
0003187237.tif 000002
【実用新案登録請求の範囲】
【請求項１】
刈払機に取り付けられ、前記刈払機の駆動部によって回転軸線周りに回転駆動される除草用回転刃であって、
前記回転軸線を中心とする径方向に延在する基部と、
前記基部に連なり、下面が前記回転軸線と直交する平面に延在するように形成された複数の刃部と、
前記刃部の下面において前記回転軸線を中心とする円周方向と交差する方向に延在するように形成され、下方に突出する断面形状を有し、前記回転軸線と直交する方向に並ぶ複数の削り刃と、を備える、除草用回転刃。
【請求項２】
前記刃部の下面は、前記基部の下面よりも前記回転軸線の延在方向において下方に位置する、請求項１に記載の除草用回転刃。
【請求項３】
前記削り刃は、前記刃部の下面から上方に凹陥する複数の凹溝間に形成されている、請求項１又は２に記載の除草用回転刃。
【請求項４】
前記刃部の前記装着軸の回転駆動方向側の側縁に切り刃が形成されている、請求項１乃至３の何れかに記載の除草用回転刃。
【請求項５】
前記回転軸線を中心とする円周方向に延在する円形の外周縁を有し、且つ前記回転軸線と直交する方向において該外周縁が前記基部及び前記複数の刃部よりも外側に位置する保護部を更に備える、請求項１乃至４の何れかに記載の除草用回転刃。
【請求項６】
前記保護部は、前記複数の刃部を上から覆うように設けられている、請求項１乃至５の何れかに記載の除草用回転刃。
【考案の詳細な説明】
【技術分野】
【０００１】
本考案は、刈払機に装着して用いられる除草用回転刃に関する。
【背景技術】
【０００２】
従来から除草用回転刃が知られている（例えば特許文献１参照）。
【０００３】
この除草用回転刃は、中心に取付け孔を有する板体の片面に複数の突起を備えている。これら複数の突起は、除草用回転刃の回転方向に延在する。これによって、草を刈ると同様の動作で地面を掻いて除草する。
【先行技術文献】
【特許文献】
【０００４】
【特許文献１】実開平５−４８３１号公報
【考案の概要】
【考案が解決しようとする課題】
【０００５】
しかし、特許文献１に記載の除草用回転刃は、除草用回転刃の回転によってこれら複数の突起が線状の軌跡を描いて作業対称面を掻くため、除草用回転刃と作業対象面との接触面積が狭く、除草作業の作業効率が悪いという問題があった。
【課題を解決するための手段】
【０００６】
上記課題を解決するため、本考案のある態様に係る除草用回転刃は、刈払機に取り付けられ、前記刈払機の駆動部によって回転軸線周りに回転駆動される除草用回転刃であって、前記回転軸線を中心とする径方向に延在する基部と、前記基部に連なり、下面が前記回転軸線と直交する平面に延在するように形成された複数の刃部と、前記刃部の下面において前記回転軸線を中心とする円周方向と交差する方向に延在するように形成され、下方に突出する断面形状を有し、前記回転軸線と直交する方向に並ぶ複数の削り刃と、を備える。
【０００７】
この構成によれば、除草用回転刃と作業対象面との接触面積を拡げることができ、除草作業の作業効率を向上させることができる。
【０００８】
前記刃部の下面は、前記基部の下面よりも前記回転軸線の延在方向において下方に位置していてもよい。
【０００９】
この構成によれば、削り刃と作業対象面とをより確実に接触させることができる。
【００１０】
前記削り刃は、前記刃部の下面から上方に凹陥する複数の凹溝間に形成されていてもよい。
【００１１】
この構成によれば、構成を簡素化することができ、また、製造に有利、且つ製造コストも安価となる。
【００１２】
前記刃部の前記装着軸の回転駆動方向側の側縁に切り刃が形成されていてもよい。
【００１３】
この構成によれば、背丈が比較的高い雑草が生えている作業対象面の除草作業を効率的に行うことができる。
【００１４】
前記回転軸線を中心とする円周方向に延在する円形の外周縁を有し、且つ前記回転軸線と直交する方向において該外周縁が前記基部及び前記複数の刃部よりも外側に位置する保護部を更に備えていてもよい。
【００１５】
この構成によれば、回転する刃部が作物を傷つけることを防止することができる。
【００１６】
前記保護部は、前記複数の刃部を上から覆うように設けられていてもよい。
【００１７】
この構成によれば、跳ね上がった小石等が作業者に向かって飛んでいくことを阻止することができる。
【考案の効果】
【００１８】
本考案は、除草作業の作業効率を向上させることができるという効果を奏する。
【図面の簡単な説明】
【００１９】
【図１】本考案の実施の形態に係る除草用回転刃を取り付けた刈払機の先端部の構成例を示す一部破断側面図である。
【図２】図１の除草用回転刃及び刈払機の先端部の構成例を示す分解斜視図である。
【考案を実施するための形態】
【００２０】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００２１】
（実施の形態）
図１は、本考案の実施の形態に係る除草用回転刃１００を取り付けた刈払機１１０の先端部の構成例を示す一部破断側面図である。図２は、本考案の実施の形態に係る除草用回転刃１００及び刈払機１１０の先端部の構成例を示す分解斜視図である。
【００２２】
図１及び図２に示すように、本実施の形態の除草用回転刃１００は、刈払機１１０の先端部に取り付けられて、例えば、畑（作業対象面）の除草作業に用いられる。
【００２３】
刈払機１１０は、基端部に図示しない原動機（駆動部）が設けられ、先端部にギヤケース１１１が設けられている。そして、原動機とギヤケース１１１とを中空円筒状の杆１１２が連結している。杆１１２の内部には、原動機によって回転駆動される図示しない伝達軸が杆１１２に対して回動自在に設けられている。また、ギヤケース１１１の内部には、伝達軸の先端部と連結された装着軸１１３がギヤケース１１１に対して回動自在に設けられている。そして、上面側カバー１１４の中央部から下方に突出する突出部１１４ａを後述する保護カバー２の中心孔６１に除草用回転刃１００の上方から嵌める。また、下面側カバー１１５の中央部から上方に突出する突出部１１５ａを後述する回転刃本体１の中心孔１１に除草用回転刃１００の下方から嵌める。そして、後述する回転刃本体１の中心孔１１、保護カバー２の中心孔６１、上面側カバー１１４の中心部に形成されている孔１１４ｂ及び下面側カバー１１５の中心部に形成されている孔１１５ｂにワッシャー１１７を取り付けたボルト１１６を挿通すると共に、装着軸１１３に螺合させ、除草用回転刃１００、上面側カバー１１４及び下面側カバー１１５を共締めする。これによって、除草用回転刃１００は、除草用回転刃１００が上面側カバー１１４及び下面側カバー１１５に挟持された状態で装着軸１１３に固着される。そして、原動機の駆動力により装着軸１１３がその回転軸線Ｌ周りに回転駆動されることによって、装着軸１１３に固着されている除草用回転刃１００は、回転軸線Ｌ周りに所定の回転方向に回転駆動される。以下、この除草用回転刃１００の回転方向を回転駆動方向ということがある。刈払機１１０は、周知の刈払機で構成されるのでこれ以上の説明を省略する。なお、以下では、除草用回転刃１００の使用時に地面に向かう方向を下といい、地面から離れる方向を上ということがある。
【００２４】
除草用回転刃１００は、回転刃本体１と、回転刃本体１の上方に配置される保護カバー２とを備える。
【００２５】
回転刃本体１は、例えばばね鋼材等の粘りを有する鋼板によって構成されている。これによって、除草作業時に回転刃本体１が石等と接触し、刃が欠けることを防止することができる。
【００２６】
回転刃本体１は、基部１０と、複数の刃部２０と、刃部に複数形成された削り刃３０と、刃部に形成された切り刃５０と、を備える。
【００２７】
基部１０は、回転軸線Ｌを中心とする径方向に延在している板体である。以下では回転軸線Ｌの延在方向と直交する所定方向（図１における左右方向）を、説明の便宜上、第１方向という。回転軸線Ｌの延在方向及び第１方向と直交する方向を説明の便宜上、第２方向という。そして、基部１０の両側縁１０ａは、図２に示すように、第２方向において外側、すなわち回転軸線Ｌから離れる方向に膨らむように形成されている。
【００２８】
そして、基部１０は、図１及び図２に示すように、中央部に上面と下面とを接続するように形成された中心孔１１を有する。この中心孔１１は、回転軸線Ｌ上に形成され、刈払機１１０の下面側カバー１１５の突出部１１５ａと嵌合するように構成されている。
【００２９】
また、基部１０は、中心孔１１の第１方向における両側方に位置する一対の係合孔１２を有する。この一対の係合孔１２は、後述する保護カバー２の係合突起６２と嵌合するように構成されている。
【００３０】
刃部２０は、基端が基部１０に連なるように設けられている。また、刃部２０の先端は、自由端である。そして、刃部２０の下面２１は、回転軸線Ｌと直交する平面に延在するように形成されている。本実施の形態において、刃部２０は、２つ設けられている。そして、一方の刃部２０は、基部１０の第１方向における一方の端部に接続部４０を介して連なるように設けられている。また、他方の刃部２０は、基部１０の第１方向における他方の端部に接続部４０を介して連なるように設けられている。したがって、一方の刃部２０、基部１０、及び他方の刃部２０は、回転軸線Ｌの延在方向から見て、第１方向に一直線に延びている。このように２つの刃部は、等間隔に設けられているので、除草用回転刃１００の重心を容易に回転軸線Ｌ上に位置させることができ、除草作業時の振動を抑制することができる。
【００３１】
なお、本実施の形態において、除草用回転刃１００は２つの刃部２０を備えているがこれに限られるものではなく、３以上の刃部２０が設けられていてもよい。
【００３２】
また、回転軸線Ｌの延在方向において、刃部２０は、下面２１よりも下方に位置するように構成されている。そして、接続部４０は、基部１０と刃部２０とを接続するように第１方向に対して傾斜して延びている。
【００３３】
回転軸線Ｌの延在方向における基部１０の下面１５と刃部２０の下面２１との間隔寸法は、刈払機１１０の下面側カバー１１５の高さ寸法と同一またはこれ以上の寸法となるように構成されている。したがって、除草作業時において後述する削り刃３０と畑の地面とを接触させる際に、回転刃本体１の下方に位置する下面側カバー１１５が障害となることを防ぐことができ、後述する削り刃３０と畑の地面とをより確実に接触させることができる。
【００３４】
更には、除草用回転刃１００を刈払機１１０に取り付けた状態において、刃部２０の下面２１は、回転軸線Ｌの延在方向において、刈払機１１０の下面側カバー１１５の下端が位置する位置、またはこの位置よりも下方に位置するように構成されている。これによって、除草作業時に、刃部２０の下面２１から下方に突出した下面側カバー１１５が地面と接触し、下面側カバー１１５が損傷することを防止することができる。なお、本実施の形態では、上述の通り、回転軸線Ｌの延在方向における刃部２０の下面２１の位置が、刈払機１１０の下面側カバー１１５の下端位置に位置するよう形成している。しかし、これに限られるものではなく、これに代えて、刃部２０の下面２１は、回転軸線Ｌの延在方向において、刈払機１１０の下面側カバー１１５の下端位置よりも下方に位置するように構成してもよい。
【００３５】
そして、各刃部２０の下面２１には、下面２１から上方に凹嵌する凹溝３１が複数形成されている。これら凹溝３１は、第１方向に連続して並んでいる。そして、各凹溝３１の断面は、略三角形状に形成されている。したがって、凹溝３１と凹溝３１との間には、下方に突出する略三角形状の断面形状を有する凸条が形成されている。この凸条が削り刃３０を構成する。なお、削り刃３０の断面形状は、略三角形状に限られるものではない。したがって、削り刃３０は、第１方向に連続して並ぶように形成されている。また、削り刃３０は、一端が刃部２０の下面２１の一方の側縁に位置し、ここから第２方向に延在し、他端が刃部２０の下面２１の他方の側面に位置する。すなわち、削り刃３０は、回転軸線Ｌを中心とする円周方向と交差する方向に延在している。
【００３６】
以上のように構成された削り刃３０は、回転軸線Ｌ周りに回転することによって、削り刃３０が面状の軌跡を描いて作業対称面を掻く。したがって、削り刃３０と作業対象面との接触面積を拡げることができる。また、回転軸線Ｌと直交する方向に並ぶように複数の削り刃３０が設けられているので、更に削り刃３０と作業対象面との接触面積を拡げることができる。したがって、除草作業の作業効率を向上させることができる。
【００３７】
そして、上述の通り、削り刃３０は、刃部２０の下面２１に上方に凹陥する略三角形状の断面形状を有する複数の凹溝３１を形成することによって形成されているので、削り刃３０の構成を簡素化することができ、また、製造に有利、且つ製造コストも安価となる。
【００３８】
そして、図２に示すように、刃部２０は、回転駆動方向側の側縁２０ａに形成された切り刃５０を有する。すなわち、刃部２０は、回転駆動方向側に向かって側縁２０ａに近づくにしたがって、刃部２０の上面２２が下面２１に近づくように形成され、側縁２０ａが鋭利な切り刃５０を構成している。
【００３９】
保護カバー２は、樹脂製である。これによって、例えば、保護カバー２がステンレス製であるときと比較して、軽量化することができ、除草作業の作業性を向上させることができる。
【００４０】
そして、保護カバー２は、倒置した皿状に形成されている。すなわち、保護カバー２は、回転軸線Ｌと直交する平面において延在し、円板状に形成された円板部６０と、基端部が円板部６０の外周縁に連なり、ここから外側下方に向かって延びる環状部７０とを有する。
【００４１】
円板部６０は、中央部に円板部６０の上面と下面とを接続する中心孔６１が形成されている。この中心孔６１は、回転軸線Ｌ上に形成され、刈払機１１０の上面側カバー１１４の突出部１１４ａと嵌合するように構成されている。
【００４２】
また、第１方向における円板部６０の中心孔６１の両側には、円板部６０の下面から下方に突出する一対の係合突起６２が形成されている。この一対の係合突起６２は、上述の通り一対の係合孔１２と嵌合するように構成されている。これによって、一対の係合突起６２と一対の係合孔１２とを係合させると、回転刃本体１に対して保護カバー２が回転軸線と直交する平面内において相対的に動かないように固定される。
【００４３】
更に、第２方向における円板部６０の中心孔６１の両側には、円板部６０の下面から下方に突出し、第１方向に延在する一対の突出壁６３が形成されている。この突出壁６３の回転軸線Ｌ側（内側）の壁面は、係合突起６２と係合孔１２とを係合させた状態において、回転刃本体１の基部１０の側縁１０ａに沿って延在するように形成されている。これによって、回転刃本体１に対して保護カバー２が回転軸線と直交する平面内においてずれないように保持される。特に、基部１０の両側縁１０ａは、第２方向において外側に膨らむように形成されているので、第１方向及び第２方向の両方向にずれないように保持される。
【００４４】
本実施の形態においては、上述の通り、除草用回転刃１００は、回転刃本体１の一対の係合孔１２及び保護カバー２の一対の係合突起６２を係合させると共に、回転刃本体１の基部１０の両側縁１０ａと保護カバー２の一対の突出壁６３とを係合させることによって、組み立てられるものである。しかし、ボルト、接着剤等によって回転刃本体１と保護カバー２とが予め固着されていてもよい。
【００４５】
環状部７０は、外周縁７１が回転軸線Ｌと中心とする円周方向に延在する円形に形成されている。そして、外周縁７１の径は、回転刃本体１の長さ寸法、すなわち、一方の刃部２０の先端から他方の刃部２０の先端までの寸法よりも大きく形成されている。これによって、除草作業時に、外周縁７１に当接した作物が外周縁７１に引っ掛からないようになっており、作物が傷ついたり切断されたりすることを防止することができる。
【００４６】
また、上述の通り、回転刃本体１に取り付けられた保護カバー２は、２つの刃部２０を上から覆うように設けられている。これによって、除草作業時に回転する刃部２０によって上方に跳ね飛ばされた小石等は保護カバー２にあたるようになっており、小石等が作業者にあたることを阻止している。
【００４７】
［使用例］
次に、除草用回転刃１００の使用例を説明する。
【００４８】
除草用回転刃１００を装着した刈払機１１０を使用して畑の除草作業を行うときは、まず、原動機の駆動力によって除草用回転刃１００を回転させる。そして、除草用回転刃１００が水平方向に沿う姿勢となるように刈払機１１０を支持する。
【００４９】
次に、除草用回転刃１００の刃部２０の下面２１を畑の地面に当てる。これによって、下面２１に形成されている削り刃３０が地面を掻き、地面に生えている比較的背丈の低い雑草を除草することができる。更に、削り刃３０が地面を掻き、雑草の根の除草を行うので、除草作業後に再度雑草を生えにくくすることができる。また、刃部２０の切り刃５０が比較的背の高い雑草を切断し、除草することができる。
【００５０】
このとき、除草用回転刃１００の削り刃３０は地面を掻くために、除草作業時に回転する回転刃本体１によって小石等が上方に跳ね飛ばされることがあるが、保護カバー２は２つの刃部２０を上から覆うように設けられているので、保護カバー２はこれらの小石が使用者に向かって飛んで当たることを阻止する。よって、使用者は除草用回転刃１００をより安全に使用することができる。
【００５１】
次に、刈払機１１０を操作し、除草用回転刃１００を水平方向に動かす。この際、除草用回転刃１００と作物とが近づくと、保護カバー２の外周縁７１と作物とが接触し、刃部２０と作物との接近を保護カバー２の外周縁７１が規制する。これによって、回転する刃部２０が作物を傷つけることを防止することができる。
【００５２】
以上に説明したように、本考案の除草用回転刃１００は、削り刃３０が回転軸線Ｌ周りに回転することによって、削り刃３０が面状の軌跡を描いて作業対称面を掻く。したがって、削り刃３０と作業対象面との接触面積を拡げることができる。また、回転軸線Ｌと直交する方向に並ぶように複数の削り刃３０が設けられているので、更に削り刃３０と作業対象面との接触面積を拡げることができる。したがって、除草作業の作業効率を向上させることができる。
【００５３】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００５４】
本件考案は、農業等の刈払作業に有用である。
【符号の説明】
【００５５】
１  回転刃本体
２  保護カバー
１０  基部
１０ａ  側縁
１１  中心孔
１２  係合孔
１５  下面
２０  刃部
２０ａ  側縁
２１  下面
２２  上面
３０  削り刃
３１  凹溝
４０  接続部
５０  切り刃
６０  円板部
６１  中心孔
６２  係合突起
６３  突出壁
７０  環状部
７１  外周縁
１００  除草用回転刃
１１０  刈払機
【図１】
0003187237.tif 000003
【図２】
0003187237.tif 000004